(57)【要約】【課題】  シェルに対してシールドをフリーストップで停止させることができるヘルメット用シールドの開閉装置を提供する。【解決手段】  ヘルメットを構成するシェルに対してシールドを開閉可能にする開閉装置であって、シェルに設けられ、シールドを開閉可能に支持するガイド部材と、このガイド部材と離間したシェルとシールドとの間に設けられ、シールドに取り付けられる取付部材及びこの取付部材に対して回転可能に取り付けられると共にシェルに係合する回転部材を有し、これら取付部材と回転部材との間にフリクショントルクを発生させてシェルに対してシールドをフリーストップで停止させるフリクショントルク発生手段３とを備える。【選択図】        図１
2009280929.tif 000002
【特許請求の範囲】
【請求項１】
ヘルメットを構成するシェルに対してシールドの両端部を開閉可能に支持するヘルメット用シールドの開閉装置であって、
前記シールドの少なくとも一端部側に設けられる開閉装置を、前記シェルに対し回転軸を中心に前記シールドと共に回転するように取り付けられた取付部材と、この取付部材の回転中心より半径方向へ延設した取付部に回転可能に取り付けられ前記シェルと係合するように成した回転部材と、前記取付部材の前記取付部と前記回転部材との間に設けたフリクショントルク発生手段とを有するものとし、前記シェルに対して前記シールドを開閉する際に前記シールドをフリーストップに停止させることができるように構成したことを特徴とする、ヘルメット用シールドの開閉装置。
【請求項２】
シェルに対してシールドの両端部を一対の開閉装置で開閉可能に取り付けたヘルメットであって、前記一対の開閉装置の一方或は双方を、前記シェルに係合させた回転部材と、この回転部材を回転可能にその取付部に取り付け、この取付部から離れた位置を前記シェルに取り付けて前記シールドと共に回転可能となるように成した取付部材と、前記回転部材と前記取付部の間に設けたフリクショントルク発生手段とを備え、前記シェルに対して前記シールドを開閉する際に前記シールドをフリーストップに停止させることができるように構成したことを特徴とする、ヘルメット。
【請求項３】
ヘルメットを構成するシェルに対してシールドの両端部を開閉可能に支持するヘルメット用シールドの開閉装置であって、
前記シールドの少なくとも一端部側に設けられる開閉装置を、軸受部を有し前記シェルに固着されるカバーと、このカバーの前記軸受部に軸受けされて前記シールドと共に回転可能に取り付けられた取付部材と、この取付部材と同軸に取り付けられ前記シェルに固定した固定アームと、この固定アームの取付中心から離れた位置に取り付けられ前記取付部材の回転中心から離れた位置に設けられた円弧状のガイド長孔に挿通させられたトルクピンと、このトルクピンをその中心部に挿通させて前記取付部材の間に設けられたフリクションプレートと弾性部材からなるフリクショントルク発生手段とで構成したことを特徴とする、ヘルメット用シールドの開閉装置。
【請求項４】
前記取付部材を前記シェルに対し回動自在に取り付けるに当り、前記シェルに取り付けた取付台座に取付ネジを介して固定したカバー部に突設した軸受部にガイド部材を介して取り付けられることを特徴とする、請求項１に記載のヘルメット用シールドの開閉装置。
【請求項５】
前記回転部材を前記シェルに対し係合させるに当り、当該回転部材の先端に係合凹部を設け、前記シェルに前記係合凹部と係合する係止手段を設けることを特徴とする、請求項１に記載のヘルメット用シールドの開閉装置。
【請求項６】
前記フリクショントルク発生手段は、前記取付部材の取付部に前記回転部材を回転可能に取り付けるトルクピンと、このトルクピンをその中心部軸方向へ挿通させて前記取付部と前記回転部材の間に介在させたフリクションワッシャーと弾性部材とで構成したことを特徴とする、請求項１に記載のヘルメット用シールドの開閉装置。
【請求項７】
前記請求項１と３乃至６のいずれか１項に記載のヘルメット用シールドの開閉装置を備えたことを特徴とする、ヘルメット。
【発明の詳細な説明】
【技術分野】
【０００１】
本発明は、シェルに対してシールドをフリーストップで開閉させる際に用いられて好適なヘルメット用シールドの開閉装置並びにこの開閉装置を備えたヘルメットに関するものである。
【背景技術】
【０００２】
ヘルメットとしては、前面に開口する開口部を有するシェルと、開口部を開閉するシールドとを備え、シェルに対してシールドを開閉装置によって開閉可能に支持したものが公知である。このヘルメットは、シールドの一端部が開閉装置を介してシェルの一側部に回動可能に連結されており、シェルの前面の開口部をシールドで閉じることができると共に、シールドで開口部を閉じた状態からシールドをシェルに対して回転させて開口部を開くことができる。
【０００３】
この開閉装置としては、シェルに対してシールドを開閉可能に支持すると共に、シェルとシールドとの間にフリクショントルクを発生させてシェルに対してシールドを任意の位置に停止させることができるものが提案されている（例えば、特許文献１参照。）。この開閉装置は、シェルの両側部に取り付けられ、シールドの両端部を開閉可能に支持するガイド部材と、シェルとシールドとの間にフリクショントルクを発生させてシェルに対してシールドを任意の位置に停止させる摩擦手段とを備えている。摩擦手段は、シールドの左側の端部に一体的に設けられた弾性変形可能な円弧状の回転調節部と、この回転調節部の外周部に当接すると共に、シェルに固定されるストッパ軸とを備え、シェルにシールドが開閉可能にガイド部材を介して取り付けられたときに、回転調節部が弾性力に抗して弾性変形した状態で回転調節部がストッパ軸に当接しており、シェルに対してシールドを回転させると、回転調節部は弾性変形した状態のままストッパ軸が回転調節部の外周を摺動するように移動することによって、シェルとシールドとの間にフリクショントルクが発生してシェルに対してシールドを任意の位置に停止させることが可能となる。
【特許文献１】実用新案登録第２５４１８７３号公報
【発明の開示】
【発明が解決しようとする課題】
【０００４】
特許文献１に記載されている開閉装置は、シールドに一体的に設けられている回転調節部が弾性変形した状態でストッパ軸に当接することによって、シェルとシールドとの間にフリクショントルクが発生してシェルに対してシールドを任意の位置に停止させることが可能となる。しかし、シールドに一体的に設けられている回転調節部の弾性変形によりフリクショントルクを発生させる場合、発生させるフリクショントルクは小さく、シェルに対してシールドを任意の位置に一時的に停止させることができるが、シェルに対してシールドを任意の位置に停止させた状態を保持させるのに必要なフリクショントルクを発生させることができなかった。また、ガイド部材を中心として、例えば、ガイド部材の軸回りにトルク発生機構を設けることが提案されるが、シールドを停止させた状態を保持させるのに十分なフリクショントルクを発生させるには大きなスペースが必要なり、ヘルメットには適用することができなかった。
【０００５】
本発明は、前記課題を解決するためになされたものであって、その目的は、シェルに対してシールドをフリーストップで停止させることができ、小型で設置スペースを取らないヘルメット用シールドの開閉装置並びにこの開閉装置を備えたヘルメットを提供することにある。
【課題を解決するための手段】
【０００６】
前記の目的を達成するための本発明に係るヘルメット用シールドの開閉装置は、ヘルメットを構成するシェルに対してシールドをガイド部材を軸に開閉可能に支持する開閉装置において、ガイド部材と離間したシェルと前記シールドとの間にフリクショントルク発生手段を設け、このフリクショントルク発生手段は、シールドに取り付けられる取付部材と、この取付部材に対して回転可能に取り付けられると共に前記シェルに係合する回転部材とを備え、これら取付部材と回転部材との間にフリクショントルクを発生させてシェルに対して前記シールドをフリーストップで停止させるように構成したことを特徴とする。
【０００７】
この発明によれば、シェルに対してシールドを開閉可能に支持するガイド部材と離間した箇所にシールドとは別部材のフリクショントルク発生手段を設けてシェルに対してシールドを停止させるフリクショントルクを発生させるようにしたことで、フリクショントルク発生手段を構成する取付部材と回転部材との間に発生するフリクショントルクが小さくても、シェルに対してシールドをガイド部材を軸に回転させる際に発生する回転トルクは大きくなるので、小型なものでもシェルに対するシールドをフリーストップで十分に停止させることができる。
【０００８】
ヘルメットを構成するシェルに対してシールドの両端部を開閉可能に支持するヘルメット用シールドの開閉装置において、シールドの少なくとも一端部側に設けられる開閉装置を、軸受部を有し前記シェルに固着されるカバーと、このカバーの前記軸受部に軸受けされて前記シールドと共に回転可能に取り付けられた取付部材と、この取付部材と同軸に取り付けられ前記シェルに固定した固定アームと、この固定アームの取付中心から離れた位置に取り付けられ取付部材の回転中心から離れた位置に設けられた円弧状のガイド長孔に挿通させられたトルクピンと、このトルクピンをその中心部に挿通させて取付部材の間に設けられたフリクションプレートと弾性部材からなるフリクショントルク発生手段とで構成したことを特徴とする。
【０００９】
本発明に係るヘルメット用シールドの開閉装置において、前記フリクショントルク発生手段が、ガイド部材に回転可能に支持されるリング状の回転支持部及びこの回転支持部の外周から突出した取付部を有する取付部材と、この取付部材の取付部に回転可能に取り付けられるか又は固定された状態で取り付けられるトルクピンと、このトルクピンに、当該トルクピンと共に回転可能に取り付けられるか又はトルクピンの軸回りに回転可能に取り付けられる回転部材と、トルクピンに設けられ、この取付部材と回転部材との間にフリクショントルクを発生させる弾性部材とを備えることが好ましい。また、本発明に係るヘルメット用シールドの開閉装置において、前記フリクショントルク発生手段が、ガイド部材に回転可能に支持されるリング状の回転支持部及びこの回転支持部の外周から突出した取付部を有する前記取付部材と、この取付部材の取付部に回転可能に取り付けられるトルクピンと、このトルクピンに、当該トルクピンと共に回転可能に取り付けられる前記回転部材と、この回転部材と前記取付部との間の前記トルクピンの外周に、このトルクピンと共に回転可能で、かつ、このトルクピンの軸方向に移動可能に取り付けられるトルク部材と、このトルク部材と回転部材との間に設けられ、トルク部材を取付部に押し付けて、取付部と回転部材との間にフリクショントルクを発生させる弾性部材とを備えることが好ましい。
【００１０】
また、本発明に係るヘルメットは、前記の本発明に係るヘルメット用シールドの開閉装置を備えたことを特徴とする。この発明によれば、前述と同様に、シェルに対してシールドを開閉可能に支持するガイド部材と離間した箇所にシールドとは別部材のフリクショントルク発生手段を設けてシェルに対してシールドをフリーストップで停止させるフリクショントルクを発生させるようにしたので、フリクショントルク発生手段を構成する取付部材と回転部材との間に発生するフリクショントルクが小さくても、シェルに対してシールドをガイド部材を軸に回転させる際に発生する回転トルクは大きくなり、小型でしかも簡単な構造でシェルに対してシールドをフリーストップで停止させることができる。
【発明の効果】
【００１１】
以上説明したように本発明に係るヘルメット用シールドの開閉装置並びにヘルメットによれば、ガイド部材と離間したシェルとシールドとの間にフリクショントルク発生手段を設け、このフリクショントルク発生手段は、シールドに取り付けられる取付部材と、この取付部材の自由端側に回転可能に取り付けられると共にシェルに係合する回転部材とを備え、これら取付部材と回転部材との間にフリクショントルクを発生させてシェルに対してシールドを任意の開閉角度で停止させるように構成したので、取付部材と回転部材との間に発生するフリクショントルクが小さくても、シェルに対してシールドをガイド部材を軸に回転させる際に発生する回転トルクは大きくなり、小型でしかも簡単な構造でシェルに対してシールドをフリーストップで停止させることができる。
【発明を実施するための最良の形態】
【００１２】
以下、本発明に係るヘルメット用シールドの開閉装置並びにヘルメットの一例を添付図面に基づいて詳述する。
【００１３】
図１〜図４は本発明に係るヘルメット用シールドの開閉装置並びにヘルメットの一例を示す図である。図５は本発明に係るヘルメット用シールドの開閉装置の要部を示す図である。本発明に係るヘルメット用シールドの開閉装置（開閉装置ということがある。）は、図１〜図４に示すように、ヘルメット１０のシェル１１に対してシールド１３を開閉可能に支持するものである。ヘルメット１０としては、シールド１３が開閉可能に取り付けられているものであれば、特に限定されず、例えば、自動二輪車用等のフルフェース型のヘルメット等が挙げられる。このヘルメット１０は、前面に開口する開口部１２を有するヘルメット本体であるシェル１１と、開口部１２を開閉するシールド１３とを備えたものである。
【００１４】
シェル１１は、例えば、自動二輪車等に乗る者の頭部に装着されるものであり、例えば、耐久性に優れた合成樹脂材料で形成されている。シェル１１の前面には、開口部１２が設けられている。開口部１２は、特に限定されず、例えば、前面の下部から上方へ向かって略Ｕ状に切り欠かれたものでもよいし、図１と図４に示すように、前面から両側部に延びる窓孔でもよい。この開口部１２の両端部の近傍のシェル１１の両側部には、シェル１１を回動可能に支持するための取付台座１４が固定されている。取付台座１４は筒状に形成され、シェル１１の取付孔１１ａに圧入された状態でたとえば接着剤を用いて固着されている。なお、取付台座１４は、別部材をシェル１１に固定したが、シェル１１に一体的に設けるようにしてもよい。取付台座１４の内周には、ネジ溝が設けられて取付孔１４ａとして形成されている。シェル１１の外側の取付台座１４の端部には、フランジ部１４ｂが設けられている。このフランジ部１４ｂの表面には、取付孔１４ａと略同軸の嵌合凹部１４ｃが設けられている。この嵌合凹部１４ｃには、例えば合成樹脂製のカバー部２５の軸受部２５ａが嵌合された状態で装着される。カバー部２５の中央部には、貫通孔２５ｂが設けられ、この貫通孔２５ｂを介して取付ネジ２６等を取付台座１４の取付孔１４ａに螺合させることにより、カバー部２５が取り付けられる。また、取付台座１４をシェル１１に固着する手段は、実施例のものに限定されず、ナットなどを用いたり、その他の公知の固着手段であってもよい。さらに、カバー部２５を取付台座１４に固着する手段としては、実施例のほかに、取付台座１４の側から雄ネジを突設して、カバー部２５に設けた雌ネジを螺合させることによってもよい。さらに、嵌合凹部１４ｃはこれを設けると、カバー部２５の取付台座１４に対する取付状態がしっかりしたものに成るが、これを省略することは可能である。
【００１５】
シェル１１の左側面の取付台座１４の近傍であって取付台座１４より前面側のシェル１１には、円柱状の係合手段１５が設けられている。この係合手段１５は、シェル１１に一体的に設けられてもよいし、ピン等の別部材をシェル１１に取り付けて設けるようにしてもよい。また、シェル１１の左側面の開口部１２の下縁部等には、開口部１２がシールド１３で閉塞されたとき、シールド１３の下部が着座するように段状のシールド着座部１６が形成されている。このシールド着座部１６の一部は、下方に凹状に窪んで窪み部１６ａが形成されている。この窪み部１６ａに対向するシールド１３の下端部には、略半楕円状のシールド操作片１３ａが設けられており、開口部１２を閉塞したシールド１３の開閉を行い易いようになっている。
【００１６】
シールド１３は、開口部１２を開閉することができれば、特に限定されず、例えば、透明の耐久性に優れた合成樹脂材料で形成されている。このシールド１３は、開口部１２を閉塞する際に、両端部がシェル１１の両側部の取付台座１４を覆うような湾曲形状に形成されている。シールド１３の左側の端部であって取付台座１４及び係合手段１５と対向する箇所には、嵌合孔１７が設けられている。嵌合孔１７は、例えば、取付台座１４と略同軸上の円形の円形部１７ａとこの円形部１７ａの外周の前面側が扇状に突出した扇部１７ｂとからなる形状に形成されている。この嵌合孔１７内にヘルメット用シールドの開閉装置１が装着されて、このヘルメット用シールドの開閉装置１を介してシールド１３の左側の端部が回転可能にシェル１１に支持される。また、シールド１３の右側の端部であって取付台座１４と対向する箇所には、貫通孔（図示せず）が設けられており、このシールド１３の貫通孔をシェル１１の右側の側部の取付台座に孔合わせし、カバー部２５を介して取付ネジ２６を取付台座１４の取付孔１４ａに螺合させることにより、カバー部２５が軸受部材としても機能してシールド１３の右側の端部が回転可能にシェル１１に支持される。なお、この取付ネジ２６の外周であってシールド１３の前後の両方にはワッシャー等が設けられていてもよい。これにより、シールド１３の両端部がシェル１１に対して回動可能に支持されており、シェル１１の前面の開口部１２をシールド１３で閉じることができると共に、シールド１３で開口部１２を閉じた状態からシールド１３をシェル１１に対して回転させて開口部１２を開くことができるようになっている。なお、ヘルメット用シールドの開閉装置１は、シェル１１の左側の側部のみに設けるようにしたが、これに限定されず、シェル１１の右側にのみ設けるようにしてもよいし、シェル１１の両側部に設けるようにしてもよい。
【００１７】
ヘルメット用シールドの開閉装置１は、シェル１１に対してシールド１３の左側の側部を開閉可能に支持するもので、ガイド部材２と離間したシェル１１とシールド１３との間にフリクショントルク発生手段３が設けられている。ガイド部材２は、例えば、小径部である回動部２ａと大径部２ｂとを有する外表面２段状の円筒形に形成されている。回動部２ａの内周の直径は、カバー部２５の軸受部２５ａの外周の直径と略同じに形成されている。回動部２ａの外周は円形状に形成されている。大径部２ｂの内周の直径は、取付台座１４のフランジ部１４ｂの外周の直径と略同じ直径で形成されており、取付台座１４のフランジ部１４ｂ上にガイド部材２が嵌合され、このガイド部材２にカバー部２５が嵌合された状態で取付ネジ２６がネジ止めされるようになっている。また、ガイド部材２の大径部２ｂのフリクショントルク発生手段３側の外周は、直線状に切り欠かれた直線部２ｃが設けられている。この直線部２ｃの外周に、フリクショントルク発生手段３が設けられている。
【００１８】
フリクショントルク発生手段３は、特に図５に示すように、シールド１３に取り付けられる取付部材４と、この取付部材４に対して回転可能に取り付けられると共にシェル１１に係合する回転部材５と、取付部材４と回転部材５との間にフリクショントルクを発生させるための弾性部材６とを備えている。
【００１９】
取付部材４は、シールド１３の嵌合孔１７に嵌合された状態で取り付けられるものである。取付部材４は、シールド１３の嵌合孔１７に嵌合される形状、すなわち、リング状の回転支持部４１と、この回転支持部４１の外周から扇状に突出した取付部４２とからなる。すなわち、取付部材４は、シールド１３と共に一体的に動くように形成されている。回転支持部４１は、嵌合孔１７の円形部１７ａに嵌合される直径の外径で形成されていると共に、ガイド部材２の回動部２ａの外周に回転可能に取り付けられるように回動部２ａの外径より若干大きな直径の内径で形成されている。尚、回転支持部４１はガイド部材２の回動部２ａをかしめることによって、一体化されても良い。取付部材４をシールド１３の嵌合孔１７に嵌合して取り付けた後、このシールド１３の取付部材４の回転支持部４１にガイド部材２の回動部２ａを挿通させることによって、シェル１１に対してシールド１３が開閉可能に支持されるようになっている。
【００２０】
取付部４２は、嵌合孔１７の扇部１７ｂに嵌合されると共に、径方向の長さが係合手段１５と対向する箇所より若干短い長さに形成されている。また、取付部４２の両端部は、シェル１１側に略直角に折り曲げられて、嵌合孔１７の扇部１７ｂの両端部に面接触等する嵌合取付片４２ａとして形成されている。取付部４２の円弧方向の略中央部には、例えば、円形状の貫通孔４３が設けられている。この貫通孔４３には、トルクピン７が挿入される。トルクピン７は、例えば、その貫通孔４３より直径が大きな頭部を有するトルクピン７１等である。
【００２１】
トルクピン７１は、取付部４２の貫通孔４３にシェル１１方向に挿入されて装着される。このトルクピン７１の貫通孔４３と対向する箇所は、円形状の円形部７１ａとして形成されていると共に、この円形部７１ａより先端部までは、円形の対向する２箇所が略平行に切り欠かれた略小判状（略楕円状）の非円形部７１ｂとして形成されている。このトルクピン７１の非円形部７１ｂには、回転部材５が取り付けられている。
【００２２】
回転部材５には、トルクピン７１の非円形部７１ｂが嵌合された状態で挿入される略小判状（略楕円状）の非円形貫通孔５３が設けられている。この非円形貫通孔５３にトルクピン７１の非円形部７１ｂが嵌合された状態で挿入されており、例えば、この挿入されて回転部材５から突出したトルクピン７１の先端部をかしめることにより、回転部材５がトルクピン７１と共に回転し、かつ、トルクピン７１の軸方向に移動可能にトルクピン７１に取り付けられる。回転部材５には、図２〜図５に示すように、シェル１１の係合手段１５に係合する係合凹部５１が設けられている。この係合凹部５１は、例えば、略Ｕ字状に形成されている。このように係合凹部５１が係合手段１５に係合することにより、シェル１１のガイド部材２を軸にシールド１３を回転させたとき、この回転と異なる方向に回転部材５がトルクピン７１と共に回転するようになっている。その際に、係合手段１５と回転部材５の係合凹部５１との係合位置がその先端側から底部側へ変化することから、フリクショントルク手段のフリクショントルクに変化が生じ、シールドの開き始めと閉じ動作の終わり近くには、その中間開閉位置のときよりも軽く感じられるものである。
【００２３】
このシールド１３の回転範囲は、シールド１３で開口部１２を閉塞する閉成状態と開口部１２を開放する開成状態との間で行われるように規制する回転範囲規制手段９が設けられていることが好ましい。この回転範囲規制手段９は、特に限定されず、例えば、シェル１１に設けられたシールド着座部１６と、開成状態のときに互いに当接する回転部材５及び嵌合取付片４２ａとで構成するようにしてもよい。もちろん回転範囲規制手段９は、他の部材等により構成するようにしてもよい。また、シェル１１のガイド部材２を軸にシールド１３を回転させたとき、この回転と異なる方向に回転部材５がトルクピン７１と共に回転するようにしたが、トルクピン７１を取付部材４に固定してこのトルクピン７１に回転部材５を回転可能に支持させて、シェル１１のガイド部材２を軸にシールドを回転させたとき、回転部材５がトルクピン７１を軸にシールド１３の回転と異なる方向に回転するようにしてもよい。回転部材５と取付部材４との間にフリクショントルクを発生させて、シェル１１に対してシールド１３を任意の位置に停止させた状態を保持するための弾性部材６が設けられている。
【００２４】
弾性部材６は、回転部材５と取付部４２との間にフリクショントルクを発生させてシェル１１に対してシールド１３を任意の位置に停止させた状態を保持することができれば、どのようなものでもよく、また配置箇所は特に限定されない。弾性部材６としては、具体的には特に限定されず、例えば、皿ばね、コンプレッションスプリング等でもよいが、スプリングワッシャー６１等であることが好ましい。このスプリングワッシャー６１は、例えば、回転部材５と取付部４２との間のトルクピン７１の軸回りに取り付けられている。このようにスプリングワッシャー６１を取り付けた場合、スプリングワッシャー６１と取付部４２との間のトルクピン７１の軸回りにトルク発生部材であるトルクワッシャー８を設けるようにする。トルクワッシャー８の貫通孔は、トルクピン７１の非円形部７１ｂが嵌合された状態で挿入される略小判状（略楕円状）の非円形貫通孔８ａとして形成されている。すなわち、トルクワッシャー８は、トルクピン７１と共に回転し、かつ、トルクピン７１の軸方向に移動可能にトルクピン７１に取り付けられていると共に、スプリングワッシャー６１の付勢力によって取付部４２に押し付けられるようになっている。なお、スプリングワッシャー６１を回転部材５と取付部材４との間に配置したが、これに限定されず、例えば、回転部材５から突出したトルクピン７１の端部側に配置して、回転部材５を取付部４２に押し付けて回転部材５と取付部４２との間にフリクショントルクを発生させるようにしてもよい。
【００２５】
図６はヘルメットのシールドの左側を開閉する開閉装置の一例を示し、図面によればこのシールドの開閉装置３０は、シェル１１の左側部側に先に説明した取付台座１４と軸心を共通にして取り付けた取付台座３１と、この取付台座３１に取付ネジ３２で取り付けたカバー部３３とからなり、取付台座３１のフランジ部３１ａの外周とカバー部３３に設けた軸受部３３ａでシールド１３の一側端部に設けた段付き状の取付孔１８を回動可能に軸受けしている。なお、取付孔１８は段付きでなくともよく、この取付孔１８を軸受けするものは、取付台座３１のフランジ部３１ａと軸受部３３ａの双方でなくともよくその一方のものでもよい。さらに、取付台座３１の構成やカバー部３３の構成及び両者の取り付け方等については、先に説明した変形実施例のものにしてもよい。
【００２６】
次に、本発明に係るヘルメット用シールドの開閉装置１並びにヘルメット１０の作用を説明する。シールドの開閉装置３０についてはとくに特徴はないので説明を省略する。このシールドの開閉装置３０はヘルメット用シールドの開閉装置１とともに動作してシェル１１に対してシールド１３の開閉動作を行うために機能する。シールド１３が閉じられている閉成状態では、シールド１３の下端部がシェル１１のシールド着座部１６に着座して開口部１２がシールド１３によって閉じられている（図１及び図４（ａ）参照。）。このとき、スプリングワッシャー６１の付勢力によりトルクワッシャー８が取付部材４の取付部４２に押し付けられて取付部材４と回転部材５との間にフリクショントルクが発生しているので、シールド１３は開口部１２を閉塞する閉成状態に保持されている。なお、この閉成状態をより確実に保持するために、ロック機構を設けるようにしてもよい。
【００２７】
このヘルメット１０の開口部１２を開放するには、シェル１１を固定した状態で、例えば、シールド１３のシールド操作片１３ａに指を掛けたり、指でつまんだりして、シールド１３をスプリングワッシャー６１の付勢力で発生したフリクショントルクに抗して上方に持ち上げる。これにより、シールド１３は、ガイド部材２を軸に回転しつつ、シールド１３の前面が上方に移動して開口部１２が徐々に下方から開放される。そして、例えば、シールド１３が開成状態と閉成状態との中間の中間状態になった状態で、シールド１３の移動を停止させると、シールド１３はその状態に停止した状態で保持される。すなわち、閉成状態からシールド１３を上方に移動させると、例えば、シールド１３の左側の端部は、ガイド部材２を軸に右回り（時計回り）に回転すると共に、この回転に伴って取付部材４の取付部４２に対して回転部材５がトルクピン７１と共に左回りに回転する。この回転部材５の回転は、スプリングワッシャー６１の付勢力に抗して行われているために、シールド１３の回転を止めると、スプリングワッシャー６１の付勢力によってトルクワッシャー８が取付部材４の取付部４２に押し付けられて取付部材４と回転部材５との間にフリクショントルクが発生しているので、シールド１３は中間状態に停止した状態に保持される。よって、シェル１１に対してシールド１３をフリーストップで任意の位置に停止させることができる。
【００２８】
なお、フリクショントルク発生手段の構成及びトルクワッシャーや弾性部材の種類や枚数は実施例のものに限定されず、フリクショントルクが発生する部位も実施例のものに限定されない。それらは様々な公知構成のものに置き換えることができる。また、カムなどを用いてシェルに対するシールドの開成時と閉成時に吸い込み機能を発揮させることも可能である。
【００２９】
さらにシールド１３を持ち上げていき開口部１２が完全に開口した開成状態になると、回転部材５が取付部材４の嵌合取付片４２ａに当接してシールド１３の回転が停止する。このとき、スプリングワッシャー６１の付勢力によりトルクワッシャー８が取付部材４の取付部４２に押し付けられて取付部材４と回転部材５との間にフリクショントルクが発生しているので、シールド１３は開口部１２を開放する開成状態に保持されている。なお、この開成状態をより確実に保持するために、ロック機構を設けるようにしてもよい。
【００３０】
次に、開口部１２が完全に開口した開成状態から閉成状態に戻すには、シェル１１を固定した状態で、例えば、シールド１３のシールド操作片１３ａに指を掛けたり指でつまんで、シールド１３をスプリングワッシャー６１の付勢力で発生したフリクショントルクに抗して下方に移動させる。すると、シールド１３は、ガイド部材２を軸に回転しつつ、シールド１３の前面が下方に移動して開口部１２が徐々に下がる。そして、シールド１３によって開口部１２が閉塞されると、シールド１３の下端部がシールド着座部１６に着座してシールド１３の回転が停止し、この停止状態に保持される。
【００３１】
このように、ガイド部材２と離間した箇所にシールド１３とは別部材のフリクショントルク発生手段３を設けてシェル１１に対してシールド１３を停止させるフリクショントルクを発生させるようにしたことから、フリクショントルク発生手段３を構成する取付部材４と回転部材５との間に発生するフリクショントルクが小さくても、シェル１１に対してシールド１３をガイド部材２を軸に回転させる際に発生する回転トルクは大きくなるので、小型なものでも、シェル１１に対するシールド１３の停止状態を任意の位置に確実に保持することができる。すなわち、シェル１１に対してシールド１３をフリーストップで停止させることができる。このように小型であるので、小スペースしか確保できないヘルメット１０にも十分に適用することができる。
【００３２】
図７と図８はこの発明に係るヘルメット用シールドの開閉装置の他の実施例を示す。図７はカバー部と取付ネジを省略し平面から見た図面であり、図８は全体の断面図である。図面によれば、この実施例に係るヘルメット用シールドの開閉装置８０は、シールド１３をシェル１１に対して回動可能に支持するための取付台座８１が固定されている。この取付台座８１は筒状に形成され、シェル１１の取付孔１１ａに圧入された状態でたとえば接着剤を用いて固着されている。なお、取付台座８１は、別部材をシェル１１に固定したが、シェル１１に一体的に設けるようにしてもよい。取付台座８１の内周には、ネジ溝が設けられて取付孔８１ａとして形成されている。シェル１１の外側の取付台座８１の端部には、フランジ部８１ｂが設けられている。このフランジ部８１ｂの表面には、取付孔８１ａと同軸の嵌合凹部８１ｃが設けられている。この嵌合凹部８１ｃには、例えば合成樹脂製のカバー部８２の軸受部８２ａが嵌合された状態で装着される。カバー部８２の中央部には、貫通孔８２ｂが設けられ、この貫通孔８２ｂを介して取付ネジ８３等を取付台座８１の取付孔８１ａに螺合させることにより、カバー部８２が取り付けられる。また、取付台座８１をシェル１１に固着する手段は、実施例のものに限定されず、ナットなどを用いたり、その他の公知の固着手段であってもよい。さらに、カバー部８２を取付台座８１に固着する手段としては、実施例のほかに、取付台座８１の側から雄ネジを突設して、カバー部８２に設けた雌ネジを螺合させることによってもよい。さらに、嵌合凹部８１ｃはこれを設けると、カバー部８２の取付台座８１に対する取付状態がしっかりしたものに成るが、これを省略することは可能である。
【００３３】
次に、シールド１３に設けた嵌合孔１７内に嵌入され、ガイド部材８７と共にカバー部８２の軸受部８２ａを回転中心にしてシールド１３の開閉動作と共に回転する取付部材８４の取付部８４ａには、円弧状のガイド長孔８８が設けられている。ガイド部材８７はカバー部８２の軸受部８２ａに回転可能に軸支されている。取付部材８４とガイド部材８７とは互いに共に回転するように構成しても良いし、独立して回転するように構成しても良い。また、ガイド部材８７は、これがあると取付部材８４の回転動作がスムーズになるが、これを省略することも考えられる。固定アーム８５は、その基部８５ａに設けた取付孔８５ｂを取付台座８１のフランジ部８１ｂへ挿通させてあり、基部８５ａより突設した固定部８５ｃの先端に設けた係合凹部８５ｄを、シェル１１より突設した係合部材９１と係合させることによってシェル１１に非回転に固定されている。
【００３４】
尚、前記の実施の形態では、フリクショントルク発生手段３は、トルクピン７１の軸回りに回転部材５を回転させることによりフリクショントルクを発生させたが、図７と図８に示したものは、フリクショントルク発生手段８６を取付部材８４と固定アーム８５との間にフリクショントルクを発生させるようにして構成してある。即ち、固定アーム８５の固定部８５ｃにはトルクピン９２が突設されており、このトルクピン９２はガイド長孔８８に挿通され、その露出側に係止ワッシャー８９を取り付けることにより、ガイド長孔８８から抜け出さないように係止されている。この係止ワッシャー８９は例えばＥリングであっても良いし、Ｅリングと共に別の係止リングを用いても良い。そして、固定アームの固定部８５ｃと取付部材８４の取付部８４ａとの間には、トルクピンをその中心部に挿通させて、フリクションワッシャー９４と例えばスプリングワッシャーから成る弾性部材９３が設置されている。尚、この弾性部材やフリクションワッシャーの数や形状、種類についてはとくに限定はなく、さまざまな公知構成のものに変えることができる。
【００３５】
このように構成しても、発生するフリクショントルクは一定であるが、取付部材８４、即ちシールド１３の回転中心より離れた位置にフリクショントルク発生手段８６を設けたので、先の実施例と略同じ作用効果を奏することができる。即ち、取付部材８４と固定アーム８５との間に発生するフリクショントルクが小さくても、シェル１１に対してシールド１３を開閉させる際に生ずる回転トルクに対応でき、小型なものでも、シェル１１に対するシールド１３の停止状態を任意の位置に確実に保持することができる。
【００３６】
また、以上の実施例の場合、シールド１３の開閉動作時にクリック停止させるクリック停止手段を設けることができる。このクリック停止手段としては、とくに限定されず、例えば、第１の実施例のものの場合には、フリクションワッシャーをトルクピンに回転規制させ、回転部材との圧接部分に互いに対向させて凹部と凸部を設けることによって、構成することができる。第２の実施例の場合には、ガイド長孔８８とフリクションワッシャー９４の圧接面に互いに対向させて凹部と凸部を設けることによって構成することができる。このように構成すると、シェル１１に対するシールド１３の開閉角度によって、
凹部と凸部が嵌合離脱を行い、クリック感と共にシールド１３のクリック停止を行うことができる。
【産業上の利用可能性】
【００３７】
以上説明したように、本発明に係るヘルメット用シールドの開閉装置は、シールドの回転中心より離れた位置にフリクショントルク発生手段やクリック停止手段を設けたので、小型でしかも簡単な構造で、シェルに対してシールドをフリーストップ及び又はクリック停止可能に開閉させることができることから、ヘルメットに対するシールドの開閉装置として好適に用いられるものである。
【図面の簡単な説明】
【００３８】
【図１】本発明に係るヘルメット用シールドの開閉装置を備えたヘルメットの一例を示す図で、（ａ）は右側面図、（ｂ）は左側面図である。
【図２】本発明に係るヘルメット用シールドの開閉装置の一例を示す断面図である。
【図３】本発明に係るヘルメット用シールドの開閉装置の一例を示す分解斜視図である。
【図４】本発明に係るヘルメット用シールドの開閉装置並びにこのヘルメット用シールドの開閉装置を備えたヘルメットの一例を示す図で、（ａ）は閉成状態のときのヘルメットを示す側面図、（ｂ）は閉成状態のときのヘルメット用シールドの開閉装置の状態を示す図、（ｃ）は中間状態のときのヘルメットを示す側面図、（ｄ）は中間状態のときのヘルメット用シールドの開閉装置の状態を示す図、（ｅ）は開成状態のときのヘルメットを示す側面図、（ｆ）は開成状態のときのヘルメット用シールドの開閉装置の状態を示す図である。
【図５】本発明に係るヘルメット用シールドの開閉装置の要部の一例を示す図で、（ａ）は表面側から見た斜視図、（ｂ）は裏側から見た斜視図、（ｃ）は分解斜視図である。
【図６】図１の（ｂ）に示したヘルメット用シールドの開閉装置を説明するための断面図である。
【図７】本発明に係るヘルメット用シールドの開閉装置の他の例を示す図で、カバー部と取付ネジを省略してみた平面図である。
【図８】図７に示したヘルメット用シールドの開閉装置の全体の構成を示す断面図である。
【符号の説明】
【００３９】
１、８０  ヘルメット用シールドの開閉装置
２、８７  ガイド部材
３、８６  フリクショントルク発生手段
４、８４  取付部材
５  回転部材
６、９３  弾性部材
７、９２  トルクピン
１０  ヘルメット
１１  シェル
１２  開口部
１３  シールド
２５、８２  カバー部
２６、８３  取付ネジ
８５  固定アーム
【図１】
2009280929.tif 000003
【図２】
2009280929.tif 000004
【図３】
2009280929.tif 000005
【図４】
2009280929.tif 000006
【図５】
2009280929.tif 000007
【図６】
2009280929.tif 000008
【図７】
2009280929.tif 000009
【図８】
2009280929.tif 000010